(57)【要約】【課題】静音性を向上した電動送風機を提供する。【解決手段】略有底円筒状のケース体11の底部25に排気口27を設ける。軸方向に沿うモータ12の回転軸12aに設けた遠心ファン13によりケース体11内に吸い込んだ空気を、ケース体11の軸方向に沿って直線状に流して効率よく排気し、ケース体11内での乱流の発生を抑制できる。排気口27の全周に亘ってリブ28を設けることで、排気の際の排気口27の縁部での風切音の発生を抑制でき、静音性を向上できる。【選択図】図１
2008163812.tif 000002
【特許請求の範囲】
【請求項１】
略有底円筒状のケース体と、
このケース体の軸方向に沿う回転軸を有し、前記ケース体に収容された電動機と、
前記回転軸に設けられ、前記電動機により回転されて前記ケース体内へと空気を吸い込む遠心ファンと、
前記ケース体の底部に設けられた排気口と、
この排気口の全周に亘って設けられたリブと
を具備したことを特徴とした電動送風機。
【請求項２】
リブの基端側は、ケース体内の底部に対して曲面状に連続している
ことを特徴とした請求項１記載の電動送風機。
【請求項３】
請求項１または２記載の電動送風機と、
この電動送風機を収容した掃除機本体と
を具備したことを特徴とした電気掃除機。
【発明の詳細な説明】
【技術分野】
【０００１】
本発明は、略有底円筒状のケース体に設けられた排気口を有する電動送風機およびこれを備えた電気掃除機に関する。
【背景技術】
【０００２】
従来、この種の電動送風機は、略有底円筒状のケース体の内部に、電動機であるモータが同軸状に収容されている。このモータの回転軸の先端には、遠心ファンが取り付けられ、モータにより回転可能となっている。また、ケース体の外周面には、遠心ファンの回転によりケース体内に吸い込まれた空気が排気される排気口が複数設けられている（例えば、特許文献１参照。）。
【特許文献１】特開平０３−２８６７３０号公報（第３頁、第１図）
【発明の開示】
【発明が解決しようとする課題】
【０００３】
しかしながら、上述の電動送風機では、排気口がケース体の外周面に設けられているため、遠心ファンの回転によりケース体内に軸方向に沿って吸い込まれた空気が、ケース体内で屈曲しながら排気されるため、ケース体内で乱流が発生し、風切音などの騒音を発生させるおそれがあるという問題点を有している。
【０００４】
本発明は、このような点に鑑みなされたもので、静音性を向上した電動送風機およびこれを備えた電気掃除機を提供することを目的とする。
【課題を解決するための手段】
【０００５】
本発明は、略有底円筒状のケース体の軸方向に沿う回転軸を有し、ケース体に収容された電動機と、回転軸に設けられ、電動機により回転されてケース体内へと空気を吸い込む遠心ファンと、ケース体の底部に設けられた排気口と、この排気口の全周に亘って設けられたリブとを具備したものである。
【発明の効果】
【０００６】
本発明によれば、略有底円筒状のケース体の底部に排気口を設けることで、軸方向に沿う電動機の回転軸に設けた遠心ファンによりケース体内に吸い込まれた空気を、ケース体の軸方向に沿って直線状に流して効率よく排気し、ケース体内での乱流の発生を抑制できるとともに、排気口の全周に亘ってリブを設けることで、排気の際の排気口の縁部での風切音の発生を抑制できるので、静音性を向上できる。
【発明を実施するための最良の形態】
【０００７】
以下、本発明の一実施の形態の構成を図１ないし図４を参照して説明する。
【０００８】
図４において、１は掃除機本体で、この掃除機本体１は、内部に収容されたモータファンである電動送風機２の駆動にて生じる吸気風とともに吸い込んだ塵埃を、着脱可能な図示しない集塵パックにて集塵する。
【０００９】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除する際に作業者が把持する把持部６が基端側に向けて突設され、この把持部６には、掃除機本体１内の電動送風機２などを複数の動作モードに設定する複数の設定ボタン７が設けられている。
【００１０】
さらに、この手元操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む吸込口体としての床ブラシ９が着脱可能に連通接続されている。
【００１１】
そして、電動送風機２は、図１および図２に示すように、例えば金属などにより形成されたケース体11を備え、このケース体11内に、回転軸12aを有する電動機としてのモータ12が収容されている。また、このケース体11の外部には、モータ12により回転される遠心ファン13が位置し、この遠心ファン13とモータ12との間で、かつ、ケース体11の外部に、整流板であるディフューザ14が取り付けられ、これらディフューザ14と遠心ファン13とが、ファンカバー15により覆われている。
【００１２】
なお、以下、モータ12側を後側、遠心ファン13側を前側として説明する。
【００１３】
ケース体11は、ケース体本体21と、このケース体本体21の前側に取り付けられた長尺板状のブリッジ部22とを有している。
【００１４】
ケース体本体21は、円筒状の胴体部24と、この胴体部24の後端部を閉塞する底部25と、胴体部24の前端部から径方向に延設されたフランジ部26とを有する略有底円筒状に形成されている。また、底部25の中央部には、モータ12の回転軸12aの後端部が、図示しないベアリングなどにより回転自在に軸支されている。そして、底部25には、複数の排気口27が穿設されている。
【００１５】
ここで、排気口27は、モータ12により回転された遠心ファン13によりケース体11内に吸い込まれた空気を外部へと排気するもので、例えば四角形状に形成され、底部25の外周寄りの位置に、周方向に略等間隔に離間されて配置されている。また、各排気口27の周縁部には、全周に亘って連続したリブ28が後方、すなわちケース体11の外方へと突設されている。
【００１６】
各リブ28は、ケース体本体21の底部25の排気口27をプレス成形する際に、同時にバーリング加工することにより、底部25から外部へと曲げ起こし形成されている。このため、図３に示すように、リブ28の基端部には、ケース体本体21内の底部25であるこの底部25の内面側に対して曲面状に屈曲した曲面部29が形成されている。すなわち、リブ28は、基端部において底部25の内面側に突出した角部などが形成されず、底部25に対して滑らかに連続するように形成されている。
【００１７】
また、図１および図２に戻って、フランジ部26には、ブリッジ部22が、胴体部24の前端部を径方向に横断するように螺子などにより取り付けられている。
【００１８】
モータ12は、外部からの電力を受けて回転するもので、回転軸12aがケース体11の中心軸上に位置するようにケース体11内に収容され、この回転軸12aに一体に回転子である図示しないロータが設けられ、このロータが、略筒状の固定子である図示しないステータ内に配設されている。そして、回転軸12aは、前端側がブリッジ部22に挿通されてケース体11から前方へと突出しているとともに、ブリッジ部22の後部側に図示しないベアリングを介して回転自在に軸支されている。
【００１９】
遠心ファン13は、回転軸12aの前端部に一体的に固定されたバックプレートと、このバックプレートと対向配置されるフロントプレートとの間に、中心側から外周側へと渦巻状に湾曲した複数のファン翼が保持されて構成され、フロントプレートの前端部に穿設された吸気口35から外気を内部に吸い込み、ファン翼により外周方向へと噴き出すように構成されている。
【００２０】
ディフューザ14は、遠心ファン13から外周側に噴き出された空気を整流して、ケース体11内へと中心軸方向に渦巻状に案内するものである。
【００２１】
そして、ファンカバー15は、略有蓋円筒状に形成され、蓋部側である前端部に、遠心ファン13の吸気口35に連通する丸孔状の吸込口36が開口形成されている。
【００２２】
次に、上記一実施の形態の動作を説明する。
【００２３】
まず、作業者は、掃除機本体１の本体吸込口３に、ホース体４、延長管８および床ブラシ９を順次連通接続する。
【００２４】
さらに、作業者が、掃除機本体１から電源コードを引き出して図示しないコンセントに接続した後、把持部６を把持して所定の設定ボタン７を操作すると、この設定ボタン７により設定された動作モードに応じて電動送風機２が駆動される。
【００２５】
すなわち、電動送風機２は、モータ12への給電によりこのモータ12が回転し、回転軸12aとともに遠心ファン13が回転して、ファンカバー15の吸込口36から外気を吸い込む。この吸い込まれた空気は、吸気口35を介して遠心ファン13内に吸い込まれ、この遠心ファン13から外周方向へと噴き出され、この噴き出された空気が、ディフューザ14により整流されてケース体本体21内へと吸い込まれ、モータ12を冷却しつつこのケース体本体21内を軸方向に沿って直進する。
【００２６】
さらに、空気は、各排気口27からケース体本体21の外部へと排気される際に、リブ28の基端部の曲面部29に沿って滑らかに流れつつ整流される。
【００２７】
そして、この電動送風機２の動作により、集塵パック、本体吸込口３、ホース体４、延長管８および床ブラシ９と負圧が作用するので、作業者は、把持部６を把持して床面上で床ブラシ９を前後に走行させることで、この床ブラシ９の先端から床面の塵埃を吸い込む。
【００２８】
空気とともに吸い込まれた塵埃は、負圧の作用により、延長管８、ホース体４および本体吸込口３を介して集塵パックへと吸い込まれ、この集塵パックを空気が通過する際にこの集塵パックに捕集される。
【００２９】
上述したように、上記一実施の形態によれば、略有底円筒状のケース体11の底部25に排気口27を設けることで、ケース体11の軸方向に沿うモータ12の回転軸12aに設けた遠心ファン13によりケース体11内に吸い込まれた空気を、ケース体11の軸方向に沿って直線状に流して効率よく排気し、ケース体11内での乱流の発生を抑制できるとともに、排気口27の全周に亘ってリブ28を設けることで、排気の際に、排気口27の縁部で風切音が発生することを抑制できるので、静音性を向上できる。
【００３０】
また、リブ28の基端部にケース体本体21の底部25に滑らかに連続する曲面部29が形成されることで、空気がケース体本体21内から排気口27にて排気される際に、空気の流れに乱流が生じにくくなるため、この乱流に伴う騒音の発生を防止でき、静音性をより向上できるとともに、リブ28による整流効果も向上できる。
【００３１】
さらに、リブ28は、排気口27をプレス成形する際に、同時にバーリング加工することで形成されるので、リブ28および曲面部29を容易に形成できるとともに、リブ28を形成するための工程が別個に必要なく、製造性の低下を防止できる。
【００３２】
そして、排気口27を比較的小さい開口として底部25の周縁寄りの位置に複数設けることで、モータ12の回転軸12aを軸支する底部25の剛性や精度を確保できる。
【００３３】
なお、上記一実施の形態において、電気掃除機の細部は、上記構成に限定されるものではなく、電気掃除機としては、キャニスタ型に限らず、例えば自走式(走行補助式)や自律走行式(ロボット式)の電気掃除機などでもよく、また、例えば床ブラシ９が掃除機本体１の下面に直接形成されたアップライト型、あるいはハンディ型などであっても対応させて用いることができる。
【００３４】
また、電動送風機２は、電気掃除機以外のものに用いることも可能である。
【図面の簡単な説明】
【００３５】
【図１】本発明の一実施の形態の電動送風機を示す中央断面図である。
【図２】同上電動送風機を示す斜視図である。
【図３】同上電動送風機のケース体の一部を拡大して示す縦断面図である。
【図４】同上電動送風機を備えた電気掃除機を示す斜視図である。
【符号の説明】
【００３６】
１    掃除機本体
２    電動送風機
11    ケース体
12    電動機としてのモータ
12a   回転軸
13    遠心ファン
27    排気口
28    リブ
【図１】
2008163812.tif 000003
【図２】
2008163812.tif 000004
【図３】
2008163812.tif 000005
【図４】
2008163812.tif 000006